(57)【要約】      （修正有）【課題】フライパンを不整地にも適合でき、リュックに入れて容易に運搬できる設計により解決し、アウトドアでの使用に適したフライパンを提供する。【解決手段】フライパンは、調理する本体１と、本体を支持する３本の支持脚５と、支持脚を本体の調理面に垂直な中心線から外側に４５度以内の開いた形で本体と支持脚を固定する結合手段２と、で構成されており、結合手段は本体と支持脚を繰り返し結合および分離できる機構、または、支持脚を折りたためる機構、を備えるものである。【選択図】図１
2018057490.tif 000002
【特許請求の範囲】
【請求項１】
アウトドアで使用するフライパンであって、調理する本体と、本体を支持する３本の支持脚と、前記支持脚を前記本体に結合する結合手段とを備え、前記結合手段が、本体の調理面に垂直な本体外接円筒面に対して支持脚の本体側の端と支持脚の本体の反対側の端とを結んだ直線の本体の反対側の端が本体外接円筒面の外側に放射状に４５度以内の開いた形で、前記支持脚を前記本体に固定することを特徴とするフライパン。
【請求項２】
結合手段は支持脚を折りたためる機構を備えていることを特徴とする請求項１に記載のフライパン。
【請求項３】
結合手段は本体と支持脚を繰り返し結合および分離できる機構を備えていることを特徴とする請求項１に記載のフライパン。
【請求項４】
支持脚は、脚部の長さを調節する長さ調節機構を備えていることを特徴とする請求項１に記載のフライパン。
【請求項５】
本体縁部に着脱可能な取っ手を備えていることを特徴とする請求項１に記載のフライパン。
【発明の詳細な説明】
【技術分野】
【０００１】
本発明は、フライパンに関する。
【背景技術】
【０００２】
従来、調理器具は、十分な受け面積を持つレンジの上で使用する前提または平坦な調理台上で使用する前提で設計されている。このような調理器具を示す従来技術としては、下記特許文献１〜４がある。
【先行技術文献】
【特許文献】
【０００３】
【特許文献１】特許第３１０１５４４号公報
【特許文献２】特開２０００−２１７７１６号公報
【特許文献３】特開２０１３−１６９２９８号公報
【特許文献４】特開２００９−２６８８８０号公報
【発明の概要】
【発明が解決しようとする課題】
【０００４】
上記特許文献１〜４に示すような従来の調理器具においては、安定した台上に置くことを前提として設計したものが一般的であった。また、持ち運びを前提としておらず、重量と容積は重要な設計要素とはなっていない。よって、登山、ハイキング等で運搬しやすく設計されたガスバーナーに適合するフライパンは一般的ではない。
【０００５】
そこで、本発明は上記、従来の課題に対し、フライパンを不整地にも適合でき、リュックに入れて容易に運搬できる設計により解決し、アウトドアでの使用に適したフライパンを提供することを課題とする。
【課題を解決するための手段】
【０００６】
本発明のフライパンはアウトドアで使用するフライパンであって、調理する本体と、本体を支持する３本の支持脚と、前記支持脚を前記本体に結合する結合手段とを備え、前記結合手段が、本体の調理面に垂直な本体外接円筒面に対して支持脚の本体側の端と支持脚の本体の反対側の端とを結んだ直線の本体の反対側の端が本体外接円筒面の外側に放射状に４５度以内の開いた形で、前記支持脚を前記本体に固定することを特徴とするフライパンであることを第１の特徴としている。
【０００７】
上記本発明のフライパンの第１の特徴によれば、本発明のフライパンはアウトドアで使用するフライパンであって、調理する本体と、本体を支持する３本の支持脚と、前記支持脚を前記本体に結合する結合手段とを備え、前記結合手段が、本体の調理面に垂直な本体外接円筒面に対して支持脚の本体側の端と支持脚の本体の反対側の端とを結んだ直線の本体の反対側の端が本体外接円筒面の外側に放射状に４５度以内の開いた形で、前記支持脚を前記本体に固定することを特徴とすることから、アウトドアで一般的に使用されるガスバーナー、ストーブ、炭、等、の調理加熱器具に適合しているとともに、不整地上でも外側に４５度以内の開いた形で固定された支持脚の３点支持により、各支持脚が均等な荷重を接地面に伝え、外側に開いた角度により、各支持脚間の接地距離を大きくすることができるので、十分に安定した接地が得られる。
【０００８】
また、本発明のフライパンは、上記本発明の第１の特徴に加えて、結合手段は支持脚を折りたためる機構を備えるフライパンであることを第２の特徴としている。
【０００９】
上記本発明の第２の特徴によれば、上記本発明の第１の特徴による作用効果に加えて、支持脚を折りたためる機構を備えるフライパンであることを特徴とすることから、運搬時は折りたたんでコンパクトにリュック等の運搬具に収納することができる。
【００１０】
また、本発明のフライパンは、上記本発明の第１の特徴に加えて、結合手段は本体と支持脚を繰り返し結合および分離できる機構を備えるフライパンであることを第３の特徴としている。
【００１１】
上記本発明の第３の特徴によれば、上記本発明の第１の特徴による作用効果に加えて、結合手段は本体と支持脚を繰り返し結合および分離できる機構を備えるフライパンであることを特徴とすることから、運搬時は支持脚を取り外してコンパクトにリュック等の運搬具に収納することができる。
【００１２】
また、本発明のフライパンは、上記本発明の第１の特徴に加えて、支持脚は、脚部の長さを調節する長さ調節機構を設けてあることを第４の特徴としている。
【００１３】
上記本発明の第４の特徴によれば、上記本発明の第１の特徴による作用効果に加えて、支持脚は、脚部の長さを調節する長さ調節機構を設けてあることを特徴とすることから、調理加熱器の高さに合わせて最適な高さに調節することができる。
【００１４】
また、本発明のフライパンは、上記本発明の第１の特徴に加えて、本体縁部に着脱可能な取っ手を備えていることを第５の特徴としている。
【００１５】
上記本発明の第５の特徴によれば、上記本発明の第１の特徴による作用効果に加えて、本体縁部に着脱可能な取っ手を備えていることを特徴とすることから、加熱中でも一般的なフライパンと同様に持ち上げることができる。
【発明の効果】
【００１６】
本発明のフライパンによれば、人手による調理器具の運搬が必要なアウトドア調理においてもフライパンによる調理が容易にできるようになり、アウトドア調理の幅を広げることができる。また、不整地上でも安定した調理ができるので、調理可能な場所が広がる。
【図面の簡単な説明】
【００１７】
【図１】本発明の脚折りたたみ式フライパン基本形態の調理時の斜視図である。
【図２】本発明の脚折りたたみ式フライパン基本形態の部品図である。
【図３】本発明の脚折りたたみ式フライパン基本形態の収納時の斜視図である。
【図４】本発明の脚折りたたみ式フライパン基本形態の正面図である。
【図５】本発明の脚折りたたみ式フライパンの取っ手と継脚付きの斜視図である。
【図６】本発明の脚折りたたみ式フライパンの取っ手と継脚付きの部品図である。
【図７】本発明の脚組み立て式フライパンの調理時の斜視図である。
【図８】本発明の脚組み立て式フライパンの部品図である。
【図９】本発明の脚折りたたみ式フライパン基本形態の本体外接円筒面付斜視図である。
【発明を実施するための形態】
【００１８】
以下、図面を参照して、本発明の実施形態に係るフライパンを説明し、本発明の理解に供する。しかし、以下の説明は本発明の実施形態であって、特許請求の範囲に記載の内容を限定するものではない。
【００１９】
まず、図1から図４を参照して、本発明の実施形態1に係る脚折りたたみ式フライパンの基本形態は、本体１が１個と、金具固定リベット２が６個と、脚折りたたみ式用金具３が３個と、脚折りたたみ式用リベット４が３個と、脚折りたたみ式用脚５が３個と、で構成されている。
【００２０】
脚折りたたみ式フライパンは、本体１の本体リベット穴１aと、脚折りたたみ式用金具３の脚折りたたみ式用金具リベット穴本体用３ａと、を、組み付け位置にセットし、金具固定リベット２の金具固定リベットカシメ部２ｂを貫通させ、金具固定リベット２の金具固定リベットカシメ部２ｂをカシメて、本体１と脚折りたたみ式用金具３を固定する。脚折りたたみ式用金具３の脚折りたたみ式用金具リベット穴本体用３ａは２か所あるので、残りの１か所も同様に固定する。さらに、脚折りたたみ式用金具３は３個あるので、同じ作業を繰り返し、残り２個の脚折りたたみ式用金具３を本体１に固定する。
【００２１】
次に、脚折りたたみ式用金具３の脚折りたたみ式用金具リベット穴脚用３ｂと、脚折りたたみ式用脚５の脚折りたたみ式用脚リベット穴５ｃと、を、組み付け位置にセットし、脚折りたたみ式用リベット４の脚折りたたみ式用リベットカシメ部４ｂを貫通させ、脚折りたたみ式用リベット４の脚折りたたみ式用リベットカシメ部４ｂをカシメて、脚折りたたみ式用金具３と脚折りたたみ式用脚５を固定する。ただし、カシメ力は手の力で脚を開閉できる摺動抵抗になるように調整する。
【００２２】
脚折りたたみ式用脚５を開いたとき、本体1に対する脚折りたたみ式用脚５の脚折りたたみ式用脚リベット穴５ｃと脚折りたたみ式用脚先端部５ｂとを結ぶ中心線の角度が本体の調理面に垂直な中心線に対して外側に４５度以内の範囲の目的角度になるように、脚折りたたみ式用金具３の脚折りたたみ式用金具くびれ部３ｃの折り曲げ角度と、脚折りたたみ式用金具３の脚折りたたみ式用金具脚開ストッパー部３ｄと脚折りたたみ式用脚５の脚折りたたみ式用脚開ストッパー部５ａとの接触により形成される角度と、の合成角度が調整されている。
【００２３】
また、脚折りたたみ式用リベット４により結合された、脚折りたたみ式用金具３と、脚折りたたみ式用脚５と、の摩擦力は開閉に支障がなく、開位置で保持できるように、部品寸法とリベットのカシメ力が調整されている。また、摩擦力は部品の弾性変形により発生させているため、脚の繰り返しの開閉においても摩耗は最小限となり、長期の使用に耐える摩擦力が維持できる。
【００２４】
脚は開閉時、脚折りたたみ式用金具３との干渉を発生させないように外形寸法を設定しており、脚閉時は本体1の底面に脚が接触して止まり、脚開時は脚折りたたみ式用金具３の脚折りたたみ式用金具脚開ストッパー部３ｄと脚折りたたみ式用脚５の脚折りたたみ式用脚開ストッパー部５ａとの接触により止まる。脚閉時の脚を折りたたんだ状態では脚のはみ出しを最小限にするように、脚折りたたみ式用金具リベット穴脚用３ｂと、脚折りたたみ式用脚リベット穴５ｃと、の位置を設定している。はみ出しを最小限にすることにより、運搬時のコンパクトさを確保することができる。
【００２５】
次に、図５から図６を参照して、本発明の実施形態1の変形例に係る脚折りたたみ式フライパンは、既述した本発明の実施形態１の脚折りたたみ式フライパンに対して、脚折りたたみ式用継脚６が３個と、抜け止機構付き取っ手７が１個と、を追加した形態としてある。
【００２６】
実施形態１の状態までは実施形態1と同じ手順で組み付けた後、脚折りたたみ式用脚５の脚折りたたみ式用脚先端部５ｂに脚折りたたみ式用継脚６の脚折りたたみ式用脚先端差込部６ａを差し込むことにより、脚の長さを伸長できる。脚折りたたみ式用継脚６の個数または長さを変化させることにより、適切な脚の長さに調節することができる。
【００２７】
脚折りたたみ式用脚５の脚折りたたみ式用脚先端部５ｂの寸法は脚折りたたみ式用継脚６の脚折りたたみ式用脚先端差込部６ａの寸法に対して人の力で対応できる摩擦力が発生する寸法に設定してあり、摩擦力により差し込んだ状態で固定される。摩擦力は弾性変形で発生しており繰り返しの結合と分離とに耐えることができる。
【００２８】
脚折りたたみ式用継脚先端部６ｂは脚折りたたみ式用脚先端部５ｂと同一寸法となっており、複数個の継足しが可能となっている。
【００２９】
次に、取っ手の取り付け手順は、抜け止機構付き取っ手７の抜け止機構付き取っ手本体縁引掛部７ａを本体縁金具無部１ｂに引っ掛けた後、抜け止機構付き取っ手７を本体１の縁に沿って、抜け止機構付き取っ手抜け止部７ｂが脚折りたたみ式用金具３に引っ掛かるところまで左の方向へ滑らせる。この状態では、抜け止機構付き取っ手７は、本体１と、金具固定リベット２と、脚折りたたみ式用金具３と、により動きが規制されており、取っ手が抜けなくなる。取り外しは、逆の手順で簡単に取り外すことができる。
【００３０】
次に、図７から図８を参照して、本発明の実施形態２に係る組み立て式フライパンは、本体１が１個と、金具固定リベット２が６個と、組立式用金具９が３個と、組立式用脚１０が３個と、組立式用継脚１１が３個と、組立式用継脚ピン１２が３個と、簡易取っ手８が１個と、で構成されている。
【００３１】
組み立て式フライパンは、図２で示した本体1と共通の本体１の本体リベット穴１aと、組立式用金具８の組立式用金具リベット穴８ａと、を、組み付け位置にセットし、金具固定リベット２の金具固定リベットカシメ部２ｂを貫通させ、金具固定リベット２の金具固定リベットカシメ部２ｂをカシメて、本体１と組立式用金具８を固定する。組立式用金具８の組立式用金具リベット穴８ａは２か所あるので、残りの１か所も同様に固定する。さらに、組立式用金具８は３個あるので、同じ作業を繰り返し、残り２個の組立式用金具８を本体１に固定する。
【００３２】
本体1に対する組立式用金具８の取り付け角度に合わせて、組立式用金具８の組立式用金具脚差込部８ｂの角度が本体の調理面に垂直な中心線から外側に４５度以内の範囲の適切な角度で組立式用脚９の組立式用脚金具差込部９ａが差し込めるように、組立式用金具８の組立式用金具脚角度調整部８ｃの曲げ角度が設定されている。また、組立式用金具８を固定した状態では、本体1の底面から金具がはみ出さないように、組立式用金具８の長さを制限し、コンパクトさを損なわないように設定している。
【００３３】
着脱可能な組立式用脚９は調理に使用する時に組立式用金具８の組立式用金具脚差込部８ｂに組立式用脚９の組立式用脚金具差込部９ａを差し込むことにより摩擦力で固定され、フライパン本体に組み立てられた状態となる。摩擦力で固定されていることにより、変形と摩耗は最小限に抑えられ、繰り返しの結合と分離とに耐えることができる。
【００３４】
組立式用継脚ピン１１の組立式用継脚ピン圧入部１１ｂは組立式用継脚１０の組立式用継脚圧入部１０ａに圧入固定され、一体として構成されている。
【００３５】
必要により、組立式用継脚ピン１１付き組立式用継脚１０の組立式用継脚ピン脚差込部１１ａを組立式用脚９の組立式用脚先端部９ｂに差し込むことにより脚の長さを調節することができる。この場合も人の力で対応できる摩擦力で固定されているので、繰り返しの結合と分離とに耐えることができる。組立式用脚先端部脚９ｂと組立式用継脚先端部１０ｂは同径の内径寸法となっており、複数個の組立式用継脚ピン１１付き組立式用継脚１０の継足しが可能となっている。脚の長さ調節により、調理加熱器の高さに合わせて本体１の底面を最適な高さに調節することができる。
【００３６】
次に、取っ手の取り付け手順は、簡易取っ手１２の簡易取っ手本体縁引掛部１２ａを本体1の本体縁金具有部１ｃ引っ掛けた後、簡易取っ手ストッパー部１２ｂが組立式用金具脚角度調整部８ｃをまたぐように簡易取っ手１２を回転させて、簡易取っ手ストッパー部１２ｂを本体1に接触させる。この状態で簡易取っ手１２を持ち上げれば、フライパンを持ち上げることができる。
【００３７】
調理終了後は、組立と逆の手順で、簡易取っ手１２と、組立式用継脚ピン１１付き組立式用継脚１０と、組立式用脚９と、を組立式用金具８付本体１から取り外し、運搬時のコンパクトな状態にする。
【００３８】
本発明の実施形態1から２において部品に使用する材料はアルミ、チタン等の軽量金属を使用することにより、運搬と取り扱いがより容易となり利便性が高まる。
【００３９】
本発明の実施形態１から２において支持脚の長さ調節はこの継脚方式によらず、脚に長さ調節機構を持たせることにより、分解時の部品点数をこの継脚方式より減少させることができる。
【００４０】
次に、請求項に登場する各手段を実現する構成を説明する。
本体の調理面に垂直な本体外接円筒面に対して支持脚の本体側の端と支持脚の本体の反対側の端とを結んだ直線の本体の反対側の端が本体外接円筒面の外側に放射状に４５度以内の開いた形で、支持脚を本体に固定する結合手段は、以下に、本発明の実施形態１と実施形態２で説明する。
【００４１】
ここで、本体の調理面に垂直な本体外接円筒面とは、図９で実施形態１に本体の調理面に垂直な本体外接円筒面１３を半透明で表示している通り、本体の調理面に垂直で、なお且つ本体の外周に接する面のことを意味する。さらに、支持脚の本体側の端と支持脚の本体の反対側の端とを結んだ直線１４と、支持脚の本体の反対側の端１５とを明示し、本体外接円筒面１３の外側に放射状に４５度以内の開いた形を明確にしている。
【００４２】
本発明の実施形態1では、脚折りたたみ式フライパンは、本体１の本体リベット穴１aと、脚折りたたみ式用金具３の脚折りたたみ式用金具リベット穴本体用３ａと、を、組み付け位置にセットし、金具固定リベット２の金具固定リベットカシメ部２ｂを貫通させ、金具固定リベット２の金具固定リベットカシメ部２ｂをカシメて、本体１と脚折りたたみ式用金具３を固定する。脚折りたたみ式用金具３の脚折りたたみ式用金具リベット穴本体用３ａは２か所あるので、残りの１か所も同様に固定する。さらに、脚折りたたみ式用金具３は３個あるので、同じ作業を繰り返し、残り２個の脚折りたたみ式用金具３を本体１に固定する。
【００４３】
次に、脚折りたたみ式用金具３の脚折りたたみ式用金具リベット穴脚用３ｂと、脚折りたたみ式用脚５の脚折りたたみ式用脚リベット穴５ｃと、を、組み付け位置にセットし、脚折りたたみ式用リベット４の脚折りたたみ式用リベットカシメ部４ｂを貫通させ、脚折りたたみ式用リベット４の脚折りたたみ式用リベットカシメ部４ｂをカシメて、脚折りたたみ式用金具３と脚折りたたみ式用脚５を固定する。ただし、カシメ力は手の力で脚を開閉できる摺動抵抗になるように調整する。
【００４４】
脚折りたたみ式用脚５を開いたとき、本体1に対する脚折りたたみ式用脚５の脚折りたたみ式用脚リベット穴５ｃと脚折りたたみ式用脚先端部５ｂとを結ぶ中心線の角度が本体の調理面に垂直な本体外接円筒面に対して、支持脚のフライパン側の端と支持脚のフライパンの反対側の端とを結んだ直線のフライパンの反対側の端が本体外接円筒面の外側に放射状に４５度以内で開いた形の目的角度になるように、脚折りたたみ式用金具３の脚折りたたみ式用金具くびれ部３ｃの折り曲げ角度と、脚折りたたみ式用金具３の脚折りたたみ式用金具脚開ストッパー部３ｄと脚折りたたみ式用脚５の脚折りたたみ式用脚開ストッパー部５ａとの接触により形成される角度と、の合成角度が調整されている。
【００４５】
また、脚折りたたみ式用リベット４により結合された、脚折りたたみ式用金具３と、脚折りたたみ式用脚５と、の摩擦力は開閉に支障がなく、開位置で保持できるように、部品寸法とリベットのカシメ力が調整されている。また、摩擦力は部品の弾性変形により発生させているため、脚の繰り返しの開閉においても摩耗は最小限となり、長期の使用に耐える摩擦力が維持できる。
【００４６】
脚は開閉時、脚折りたたみ式用金具３との干渉を発生させないように外形寸法を設定しており、脚閉時は本体1の底面に脚が接触して止まり、脚開時は脚折りたたみ式用金具３の脚折りたたみ式用金具脚開ストッパー部３ｄと脚折りたたみ式用脚５の脚折りたたみ式用脚開ストッパー部５ａとの接触により止まる。脚閉時の脚を折りたたんだ状態では脚のはみ出しを最小限にするように、脚折りたたみ式用金具リベット穴脚用３ｂと、脚折りたたみ式用脚リベット穴５ｃと、の位置を設定している。はみ出しを最小限にすることにより、運搬時のコンパクトさを確保することができる。
【００４７】
本発明の実施形態２では、組み立て式フライパンは、本体１の本体リベット穴１aと、組立式用金具８の組立式用金具リベット穴８ａと、を、組み付け位置にセットし、金具固定リベット２の金具固定リベットカシメ部２ｂを貫通させ、金具固定リベット２の金具固定リベットカシメ部２ｂをカシメて、本体１と組立式用金具８を固定する。組立式用金具８の組立式用金具リベット穴８ａは２か所あるので、残りの１か所も同様に固定する。さらに、組立式用金具８は３個あるので、同じ作業を繰り返し、残り２個の組立式用金具８を本体１に固定する。
【００４８】
本体1に対する組立式用金具８の取り付け角度に合わせて、組立式用金具８の組立式用金具脚差込部８ｂの角度が本体の調理面に垂直な本体外接円筒面に対して、支持脚のフライパン側の端と支持脚のフライパンの反対側の端とを結んだ直線のフライパンの反対側の端が本体外接円筒面の外側に放射状に４５度以内で開いた形の適切な角度で組立式用脚９の組立式用脚金具差込部９ａが差し込めるように、組立式用金具８の組立式用金具脚角度調整部８ｃの曲げ角度が設定されている。また、組立式用金具８を固定した状態では、本体1の底面から金具がはみ出さないように、組立式用金具８の長さを制限し、コンパクトさを損なわないように設定している。
【００４９】
着脱可能な組立式用脚９は調理に使用する時に組立式用金具８の組立式用金具脚差込部８ｂに組立式用脚９の組立式用脚金具差込部９ａを差し込むことにより摩擦力で固定され、フライパン本体に組み立てられた状態となる。摩擦力で固定されていることにより、変形と摩耗は最小限に抑えられ、繰り返しの結合と分離とに耐えることができる。
【産業上の利用可能性】
【００５０】
本発明はアウトドアにおいて使用されるフライパンに利用することができる。
【符号の説明】
【００５１】
１      本体
１ａ    本体リベット穴
１ｂ    本体縁金具無部
１ｃ    本体縁金具有部
２      金具固定リベット
２ａ    金具固定リベット頭部
２ｂ    金具固定リベットカシメ部
３      脚折りたたみ式用金具
３ａ    脚折りたたみ式用金具リベット穴本体用
３ｂ    脚折りたたみ式用金具リベット穴脚用
３ｃ    脚折りたたみ式用金具くびれ部
３ｄ    脚折りたたみ式用金具脚開ストッパー部
４      脚折りたたみ式用リベット
４ａ    脚折りたたみ式用リベット頭部
４ｂ    脚折りたたみ式用リベットカシメ部
５      脚折りたたみ式用脚
５ａ    脚折りたたみ式用脚開ストッパー部
５ｂ    脚折りたたみ式用脚先端部
５ｃ    脚折りたたみ式用脚リベット穴
６      脚折りたたみ式用継脚
６ａ    脚折りたたみ式用脚先端差込部
６ｂ    脚折りたたみ式用継脚先端部
７      抜け止機構付き取っ手
７ａ    抜け止機構付き取っ手本体縁引掛部
７ｂ    抜け止機構付き取っ手抜け止部
８      組立式用金具
８ａ    組立式用金具リベット穴
８ｂ    組立式用金具脚差込部
８ｃ    組立式用金具脚角度調整部
９      組立式用脚
９ａ    組立式用脚金具差込部
９ｂ    組立式用脚先端部
１０    組立式用継脚
１０ａ  組立式用継脚圧入部
１０ｂ  組立式用継脚先端部
１１    組立式用継脚ピン
１１ａ  組立式用継脚ピン脚差込部
１１ｂ  組立式用継脚ピン圧入部
１２    簡易取っ手
１２ａ  簡易取っ手本体縁引掛部
１２ｂ  簡易取っ手ストッパー部
１３    本体外接円筒面
１４    支持脚の本体側の端と支持脚の本体の反対側の端とを結んだ直線
１５    支持脚の本体の反対側の端
【図１】
2018057490.tif 000003
【図２】
2018057490.tif 000004
【図３】
2018057490.tif 000005
【図４】
2018057490.tif 000006
【図５】
2018057490.tif 000007
【図６】
2018057490.tif 000008
【図７】
2018057490.tif 000009
【図８】
2018057490.tif 000010
【図９】
2018057490.tif 000011
【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
アウトドアで使用するフライパンであって、調理する本体と、本体を支持する３本の支持脚と、前記支持脚を前記本体に結合する結合手段とを備え、前記結合手段が、本体の調理面に垂直な本体外接円筒面に対して支持脚の本体側の端と支持脚の本体の反対側の端とを結んだ直線の本体の反対側の端が本体外接円筒面の外側に放射状に４５度以内の開いた形で、前記支持脚を前記本体に固定し、前記結合手段は前記支持脚を折りたためる機構を備えており、前記支持脚を開いたとき、外側に４５度以内の範囲の目的角度になるように、金具くびれ部の折り曲げ角度と、金具の脚開ストッパー部と前記支持脚の脚開ストッパー部との接触により形成される角度と、の合成角度が調整され、前記支持脚は開閉時、前記金具との干渉を発生させないように外形寸法を設定しており、脚閉時は本体の底面に前記支持脚が接触して止まり、脚開時は前記金具の脚開ストッパー部と前記支持脚の脚開ストッパー部との接触により止まり、脚閉時の前記支持脚を折りたたんだ状態では前記支持脚のはみ出しを最小限にするように、金具リベット穴と、支持脚リベット穴と、の位置を設定していることを特徴とするフライパン。
【請求項２】
支持脚は、脚部の長さを調節する長さ調節機構を備えていることを特徴とする請求項１に記載のフライパン。
【請求項３】
本体縁部に着脱可能な取っ手を備えていることを特徴とする請求項１に記載のフライパン。